(57)【要約】【課題】機械的強度を向上しつつ、輝度の低下を抑制することが可能な陰極線管を提供することを目的とする。【解決手段】マスク本体は、ほぼ矩形状のシャドウマスク主面において、中心部を通って延びる管軸と、この管軸と直交して延びる長軸と、管軸及び長軸と直交して延びる短軸と、を有している。シャドウマスク主面において、ブリッジを介して短軸方向に配列された複数のスリット状の電子ビーム通過孔からなる電子ビーム通過孔列が長軸方向に複数列配列されている。シャドウマスク主面における短軸上の電子ビーム通過孔列において、長軸からの距離をｙｖとし、ａ０、ａ１、ａ２を係数とするとき、距離ｙｖでのブリッジの短軸方向に平行な幅Ｂｖが、Ｂｖ＝ａ０＋ａ１・ｙｖ２＋ａ２・ｙｖ４で表され、しかも、係数ａ２が負であることを特徴とする。【選択図】    図６
2004207037.tif 000002
【特許請求の範囲】
【請求項１】
ほぼ矩形状のパネルと、前記パネルに接合されたファンネルと、を有した外囲器と、
前記パネルの内面に形成された蛍光体スクリーンと、
前記蛍光体スクリーンに対向して配設されたマスク本体と、前記マスク本体の周縁部を支持するマスクフレームと、を有したシャドウマスクと、を備え、
前記マスク本体は、ほぼ矩形状のシャドウマスク主面において、中心部を通って延びる管軸と、この管軸と直交して延びる長軸と、前記管軸及び前記長軸と直交して延びる短軸と、を有し、
前記シャドウマスク主面において、ブリッジを介して短軸方向に配列された複数のスリット状の電子ビーム通過孔からなる電子ビーム通過孔列が長軸方向に複数列配列され、
前記シャドウマスク主面における短軸上の電子ビーム通過孔列において、長軸からの距離をｙとし、ａ０、ａ１、ａ２を係数とするとき、距離ｙでのブリッジの短軸方向に平行な幅Ｂが、
Ｂ＝ａ０＋ａ１・ｙ２＋ａ２・ｙ４
で表され、しかも、係数ａ２が負であることを特徴とする陰極線管。
【請求項２】
前記シャドウマスク主面の短軸上において、中心部でのブリッジ幅Ｂ０より短軸端部でのブリッジ幅Ｂｖが大きいことを特徴とする請求項１に記載の陰極線管。
【請求項３】
ほぼ矩形状のパネルと、前記パネルに接合されたファンネルと、を有した外囲器と、
前記パネルの内面に形成された蛍光体スクリーンと、
前記蛍光体スクリーンに対向して配設されたマスク本体と、前記マスク本体の周縁部を支持するマスクフレームと、を有したシャドウマスクと、を備え、
前記マスク本体は、ほぼ矩形状のシャドウマスク主面において、中心部を通って延びる管軸と、この管軸と直交して延びる長軸と、前記管軸及び前記長軸と直交して延びる短軸と、を有し、
前記シャドウマスク主面において、ブリッジを介して短軸方向に配列された複数のスリット状の電子ビーム通過孔からなる電子ビーム通過孔列が長軸方向に複数列配列され、
前記シャドウマスク主面の中心部から長軸端までの長さをｈとしたとき、中心部から（０．９×ｈ）だけ離れた長軸上の位置を通過する短軸に平行な中間軸上の電子ビーム通過孔列において、長軸からの距離をｙとし、ｂ０、ｂ１、ｂ２を係数とするとき、距離ｙでのブリッジの短軸方向に平行な幅Ｂが、
Ｂ＝ｂ０＋ｂ１・ｙ２＋ｂ２・ｙ４
で表され、しかも、係数ｂ２が負であることを特徴とする陰極線管。
【請求項４】
前記シャドウマスク主面の中間軸上において、長軸上でのブリッジ幅Ｂｈより長辺端部でのブリッジ幅Ｂｄが大きいことを特徴とする請求項３に記載の陰極線管。
【発明の詳細な説明】
【０００１】
【発明の属する技術分野】
この発明は、陰極線管に係り、特に、スリット状の電子ビーム通過孔を有するシャドウマスクを搭載した陰極線管に関する。
【０００２】
【従来の技術】
一般にカラー陰極線管は、パネルの内面に形成された青、緑、赤にそれぞれ発光する３色蛍光体層からなる蛍光体スクリーンに対向して配置されたシャドウマスクを搭載している。電子銃構体から放出された３電子ビームは、シャドウマスクを介して、蛍光体スクリーンを水平方向及び垂直方向に走査することにより、カラー画像を表示する。
【０００３】
シャドウマスクは、３電子ビームをそれぞれ所定の３色蛍光体層にランディングさせるように選別するためのものである。蛍光体スクリーン上に描かれるカラー画像の色純度を良好にするためには、３電子ビームがそれぞれ所定の３色蛍光体層に正しくランディングするように選別する必要がある。そのためには、カラー陰極線管の動作中、常に蛍光体スクリーンに対してシャドウマスクを所定の位置関係、すなわち、シャドウマスク主面と蛍光体スクリーンとの間隔（ｑ値）が常に所定の許容範囲にあるように保つことが必要である。
【０００４】
また、シャドウマスク主面に形成されたスリット状の複数個の電子ビーム通過孔は、蛍光体スクリーン側を大孔とし、電子銃構体側を小孔とした形状を有しており、大孔と小孔との孔中心位置を電子ビームの入射角に合わせて最適に設定することで、電子ビームの通過を妨げにくい形状としている。また、シャドウマスク主面の短軸方向に配列された電子ビーム通過孔の間のブリッジ幅すなわち短軸方向に沿った幅は、電子ビームの入射角に合わせてシャドウマスク主面の中心部から周辺に向かって増大させている。
【０００５】
ところで、最近は、パネルの内面及び外面をほぼ平坦化したカラー陰極線管が主流となりつつある。このようなカラー陰極線管では、ｑ値を保つために、シャドウマスク主面も全体的に平坦化する必要がある。そのため、衝撃や落下などに対するシャドウマスク主面の機械的強度が低下し、シャドウマスク主面が局所的に変形を起しやすい。このため、例えば、ブリッジ幅は、シャドウマスク主面の中心部からの距離の２乗に比例して増加させるなどして、シャドウマスク主面全体で大きくすることでシャドウマスク主面の機械的強度を補っている。
【０００６】
一方で、シャドウマスク主面のドーミング対策として、シャドウマスク主面の中心部と長軸端部との間の中間部において、長軸をｘ軸、短軸をｙ軸とするとき、ブリッジの短軸方向の幅Ｂ（ｘ、ｙ）がｘ、ｙの４次べき乗多項式で表される大きさに形成されたシャドウマスクが提案されている（例えば、特許文献１参照。）。
【０００７】
【特許文献１】
特開平１０−２３３１７３号公報
【０００８】
【発明が解決しようとする課題】
上述したように、衝撃や落下などに対するシャドウマスク主面の機械的強度を補強するために、シャドウマスク主面におけるブリッジの短軸に平行な幅をシャドウマスク主面の中心部からの距離の２乗に比例して増加させて対応している。しかしながら、このような方法では、シャドウマスク主面における不要な位置、すなわち補強する必要のない部分でもブリッジ幅が大きくなってしまう場合がある。このようなブリッジ幅の拡大は、蛍光体スクリーンに到達する電子ビーム量を制限してしまい、蛍光体スクリーン上での発光部が減少するため、輝度の低下を招いてしまう。
【０００９】
また、ドーミング対策として、シャドウマスク主面の中間部を補強するために、ブリッジの端軸方向の幅を座標値の４次べき乗多項式で規定することが提案されている。しかしながら、このような方法は、中間部を補強することでドーミング対策としては有効であるが、衝撃や落下などに対するシャドウマスク主面の機械的強度は不十分である。
【００１０】
この発明は、上述した問題点に鑑みなされたものであって、その目的は、機械的強度を向上しつつ、輝度の低下を抑制することが可能な陰極線管を提供することにある。
【００１１】
【課題を解決するための手段】
この発明の第１の様態による陰極線管は、
ほぼ矩形状のパネルと、前記パネルに接合されたファンネルと、を有した外囲器と、
前記パネルの内面に形成された蛍光体スクリーンと、
前記蛍光体スクリーンに対向して配設されたマスク本体と、前記マスク本体の周縁部を支持するマスクフレームと、を有したシャドウマスクと、を備え、
前記マスク本体は、ほぼ矩形状のシャドウマスク主面において、中心部を通って延びる管軸と、この管軸と直交して延びる長軸と、前記管軸及び前記長軸と直交して延びる短軸と、を有し、
前記シャドウマスク主面において、ブリッジを介して短軸方向に配列された複数のスリット状の電子ビーム通過孔からなる電子ビーム通過孔列が長軸方向に複数列配列され、
前記シャドウマスク主面における短軸上の電子ビーム通過孔列において、長軸からの距離をｙとし、ａ０、ａ１、ａ２を係数とするとき、距離ｙでのブリッジの短軸方向に平行な幅Ｂが、
Ｂ＝ａ０＋ａ１・ｙ２＋ａ２・ｙ４
で表され、しかも、係数ａ２が負であることを特徴とする。
【００１２】
この発明の第２の様態による陰極線管は、
ほぼ矩形状のパネルと、前記パネルに接合されたファンネルと、を有した外囲器と、
前記パネルの内面に形成された蛍光体スクリーンと、
前記蛍光体スクリーンに対向して配設されたマスク本体と、前記マスク本体の周縁部を支持するマスクフレームと、を有したシャドウマスクと、を備え、
前記マスク本体は、ほぼ矩形状のシャドウマスク主面において、中心部を通って延びる管軸と、この管軸と直交して延びる長軸と、前記管軸及び前記長軸と直交して延びる短軸と、を有し、
前記シャドウマスク主面において、ブリッジを介して短軸方向に配列された複数のスリット状の電子ビーム通過孔からなる電子ビーム通過孔列が長軸方向に複数列配列され、
前記シャドウマスク主面の中心部から長軸端までの長さをｈとしたとき、中心部から（０．９×ｈ）だけ離れた長軸上の位置を通過する短軸に平行な中間軸上の電子ビーム通過孔列において、長軸からの距離をｙとし、ｂ０、ｂ１、ｂ２を係数とするとき、距離ｙでのブリッジの短軸方向に平行な幅Ｂが、
Ｂ＝ｂ０＋ｂ１・ｙ２＋ｂ２・ｙ４
で表され、しかも、係数ｂ２が負であることを特徴とする。
【００１３】
これらの陰極線管によれば、スリット状の複数個の電子ビーム通過孔を備えたシャドウマスク主面において、ブリッジの短軸方向に平行な幅を最適化することで、衝撃や落下などに対するシャドウマスク主面の機械的強度を向上することができる。しかも、機械的強度に影響しない部分でのブリッジ幅の拡大を極力抑えたことにより、輝度の低下を抑制することができる。
【００１４】
【発明の実施の形態】
以下、この発明の一実施の形態に係る陰極線管について図面を参照して説明する。
【００１５】
図１に示すように、カラー陰極線管装置は、ガラスによって形成された真空外囲器１０を備えている。この真空外囲器１０は、実質的に矩形状のフェースパネル２２と、このフェースパネル２２に一体に接合されたファンネル２４とを有している。フェースパネル２２は、略矩形状の有効部２０と、有効部２０の周縁部から管軸Ｚ方向に沿って延出されたスカート部２１を有している。有効部２０の外面は、その曲率半径が１００００ｍｍ以上となるよう略平坦に形成されている。有効部２０の内面は、球面状または非球面状の任意の曲面で構成されている。スカート部２１は、その内部における各コーナ部において内方に向かって突設されたスタッドピン３１を備えている。
【００１６】
蛍光体スクリーン２７は、フェースパネル２２の有効部２０の内面に形成されている。この蛍光体スクリーン２７は、図２に示すように、赤、緑、青にそれぞれ発光する垂直軸Ｖ方向に伸びたストライプ状の３色蛍光体層６２Ｒ、６２Ｇ、６２Ｂと、これらの３色蛍光体層の間を埋める光吸収層（ブラックストライプ）６１と、によって構成されている。これら３色蛍光体層６２（Ｒ、Ｇ、Ｂ）及び光吸収層６１は、水平軸Ｈ方向に並列して配置されている。
【００１７】
電子銃構体３６は、ファンネル２４の径小部に相当する円筒状のネック３４の内部に配置されている。この電子銃構体３６は、蛍光体スクリーン２７に向けて水平軸Ｈ方向に一列に配列された３電子ビーム３５Ｒ、３５Ｇ、３５Ｂを放出する。また、この電子銃構体３６は、フェースパネル２２の有効部２０の中心を通りフェースパネル２２に対してほぼ垂直に延びた管軸Ｚと略同軸的に配設されている。
【００１８】
色選別機能を有するシャドウマスクユニット２８は、真空外囲器１０の内部において蛍光体スクリーン２７に対向して配置されている。このシャドウマスクユニット２８は、電子銃構体３６から放出された３電子ビーム３５Ｒ、３５Ｇ、３５Ｂが通過するスリット状の複数の電子ビーム通過孔１８を有するほぼ矩形状のシャドウマスク本体２９と、シャドウマスク本体２９の周縁部を保持するほぼ矩形枠状のマスクフレーム３０と、を備えている。シャドウマスク本体２９は、蛍光体スクリーン２７に対向して配設されている。マスクフレーム３０は、弾性支持具３２を介してスタッドピン３１に固定され、支持されている。これにより、シャドウマスク本体２９の電子ビーム通過孔１８を有する主面２９１が蛍光体スクリーン２７と所定間隔離れて対向するようにパネル２２の内側で支持される。
【００１９】
磁気遮蔽体２３は、電子ビームが最も磁界の影響を受けやすいファンネル２４の内部においてマスクフレーム３０に接合されている。
【００２０】
偏向ヨーク３７は、ファンネル２４の径大部からネックに亘る外面に沿って配置されている。この偏向ヨーク３７は、電子銃構体３６から放出された３電子ビーム３５Ｒ、３５Ｇ、３５Ｂを水平軸Ｈ方向及び垂直軸Ｖ方向に偏向する非斉一な偏向磁界を発生する。この非斉一偏向磁界は、ピンクッション型の水平偏向磁界及びバレル型の垂直偏向磁界によって形成される。
【００２１】
このようなカラー陰極線管装置においては、図２に示すように、電子銃構体３６から放出された３電子ビーム３５Ｒ、３５Ｇ、３５Ｂは、シャドウマスク本体２９の電子ビーム通過孔１８付近でコンバージェンスしつつ、偏向ヨーク３７から発生された偏向磁界によって偏向される。
【００２２】
これにより、３電子ビーム３５Ｒ、３５Ｇ、３５Ｂは、シャドウマスクユニット２８を介して蛍光体スクリーン２７を水平軸Ｈ方向及び垂直軸Ｖ方向に走査する。このとき、各電子ビーム３５Ｒ、３５Ｇ、３５Ｂを整形して特定の色の蛍光体層６２Ｒ、６２Ｇ、６２Ｂにランディングすることにより、カラー画像が表示される。
【００２３】
上述したシャドウマスクユニット２８のマスク本体２９は、シャドウマスク主面２９１の中心部を通って延びる管軸Ｚと、この管軸Ｚに直交して延びる長軸すなわち水平軸Ｈと、管軸Ｚ及び水平軸Ｈと直交して延びる短軸すなわち垂直軸Ｖとを有する略矩形状に形成されている。
【００２４】
すなわち、シャドウマスク本体２９は、図３に示すように、多数のスリット状の電子ビーム通過孔１８を有する略矩形状のシャドウマスク主面２９１を備えている。このシャドウマスク本体２９は、水平軸Ｈに略平行な一対の長辺２９Ｌと、垂直軸Ｖに略平行な一対の短辺２９Ｓと、を有している。また、シャドウマスク主面２９１は、全体的に蛍光体スクリーン２７側に突出した曲面状に形成されている。
【００２５】
シャドウマスク主面２９１においては、図４の（ａ）及び（ｂ）に示すように、複数のスリット状の電子ビーム通過孔１８が設けられている。電子ビーム通過孔１８は、蛍光体スクリーン側に大孔１８Ａを有するとともに、電子銃構体側に小孔１８Ｂを有して形成されている。
【００２６】
各電子ビーム通過孔において、大孔１８Ａと小孔１８Ｂとのそれぞれの孔中心位置は、電子ビームの入射角に合わせて最適に設定されている。また、電子ビーム通過孔１８は、垂直軸Ｖ方向に長軸を有する縦長形状であり、この実施の形態では、大孔１８Ａが垂直軸Ｖ方向に長辺を有するほぼ矩形状であって、小孔１８Ｂが垂直軸Ｖ方向に長軸を有する長円形状（トラック形状）である。
【００２７】
このような電子ビーム通過孔１８は、ブリッジ１９を介して垂直軸Ｖ方向に所定の配列ピッチＰＶでほぼ直線状に配列され、電子ビーム通過孔列１８Ｘを形成する。ここで、配列ピッチＰＶは、垂直軸Ｖ方向に隣接する電子ビーム通過孔１８の中心間距離である。このような電子ビーム通過孔列１８Ｘは、水平軸Ｈ方向に所定の配列ピッチＰＨで複数列並列して配列されている。ここで、配列ピッチＰＨは、水平軸Ｈ方向に隣接する電子ビーム通過孔列１８Ｘの中心間距離である。
【００２８】
ブリッジ１９は、垂直軸Ｖに平行な幅Ｂを有している。このブリッジ幅Ｂは、垂直軸Ｖ方向に隣接する電子ビーム通過孔１８の最小径部間の垂直軸Ｖに平行な長さに相当する。例えば、ブリッジ幅Ｂは、図４の（ａ）及び（ｂ）に示すように、電子ビーム通過孔１８における大孔１８Ａと小孔１８Ｂとが繋がる点を結ぶ垂直軸Ｖ方向に平行な長さに相当する。
【００２９】
図５には、凸状の曲面を上に向けた状態で配置されたシャドウマスク主面に、管軸方向と平行に蛍光体スクリーン側から電子銃構体側に向けて衝撃を与えた場合のシャドウマスク主面における管軸方向の変位量が示されている。なお、図５では、シャドウマスク主面の第１象限における変位量が示されている。
【００３０】
また、ここで適用したシャドウマスク主面は、管軸Ｚと交差する中心部Ｏから垂直軸Ｖに平行な距離ｙ及び中心部Ｏから水平軸Ｈに平行な距離ｘの２乗に比例する関数で規定されたブリッジ幅の分布を有するものとする。具体的には、ｃ０、ｃ１、ｃ２を係数とするとき、中心部Ｏからの距離（ｘ、ｙ）でのブリッジ幅Ｂは、
Ｂ＝ｃ０＋ｃ１・ｘ２＋ｃ２・ｙ２
で表わされるものとする。
【００３１】
図５に示した結果から、管軸方向と平行な衝撃に対しては、シャドウマスク主面２９１における垂直軸Ｖの中間部で管軸方向の変位量が大きいことがわかる。このため、この実施の形態では、シャドウマスク主面２９１における垂直軸Ｖ上の電子ビーム通過孔列１８Ｘにおいて、水平軸から対象となるブリッジ１９までの距離（すなわち中心部からの距離）をｙとし、ａ０、ａ１、ａ２を係数とするとき、距離ｙでのブリッジ幅Ｂは、
Ｂ＝ａ０＋ａ１・ｙ２＋ａ２・ｙ４  …（１）
で表され、しかも、係数ａ２を負の値に設定している。
【００３２】
ここで、ブリッジ１９までの距離ｙとは、図４の（ａ）に示すように、シャドウマスク主面２９１において、管軸Ｚと交差する中心部Ｏからブリッジ１９の中心までの垂直軸Ｖに平行な距離に相当する。
【００３３】
これにより、シャドウマスク主面２９１においては、垂直軸Ｖ上の電子ビーム通過孔列でのブリッジ幅Ｂ（ｍｍ）は、中心部からの距離ｙに対して図６の（ａ）に示すような分布となる。すなわち、ブリッジ幅Ｂを規定する中心部からの距離ｙの関数（１）式の微分関数ｄＢ／ｄｙが中心部から垂直軸端部までの間で極大値を持つような分布であるものとする。
【００３４】
つまり、シャドウマスク主面２９１におけるブリッジ幅Ｂは、中心部から垂直軸端部に向かうにしたがって単調に増加する分布であって、衝撃などに対するシャドウマスク主面の管軸方向変位量が大きい垂直軸Ｖ上の中間部でのブリッジ幅Ｂを大きくできる。したがって、シャドウマスク主面２９１の機械的強度を補強することができる。なお、垂直軸中間部とは、シャドウマスク主面の中心部から垂直軸端部までの長さをｖとしたとき、中心部から（０．５×ｖ）だけ離れた垂直軸Ｖ上の位置付近に対応する。
【００３５】
また、同時に、ブリッジ幅Ｂの分布は、単調増加するものの、垂直軸端部でのブリッジ幅の必要以上の拡大を抑えることができる。なお、このような垂直軸短部を含むシャドウマスク主面２９１の周辺部分では、中央部分と比較してシャドウマスク主面２９１の曲率半径を小さく設定してあり、機械的強度は十分に確保されている。したがって、シャドウマスク主面２９１における周辺部分では、機械的強度を確保するためにブリッジ幅Ｂを大きくする必要はない。つまり、シャドウマスク主面２９１の周辺部分は、ブリッジ幅Ｂを小さくして電子ビーム通過孔径を大きくすることが望ましい。これにより、画面周辺部に向かう電子ビームがブリッジ１９に遮られる割合が低下し、蛍光体スクリーンに到達する電子ビーム量を増大することができ、輝度の低下を防止することができる。
【００３６】
以下に、上述した（１）式を満たす一実施例について説明する。すなわち、対角寸法が３６インチの有効部２０を有するカラー陰極線管用のシャドウマスク本体２９では、ブリッジ幅Ｂは、たとえば図７に示すように、シャドウマスク主面の中心部Ｏでのブリッジ幅：Ｂ０＝０．１４０ｍｍ、垂直軸中間部（０．５×ｖ付近）のブリッジ幅：Ｂｖｍ＝０．１７０ｍｍ、垂直軸端部のブリッジ幅：Ｂｖ＝０．２００ｍｍとしている。また、（１）式における係数ａ０，ａ１，ａ２をそれぞれ、ａ０＝１．４００×１０−１、ａ１＝３．５００×１０−６、ａ２＝−５．０００×１０−１１、のように設定している。
【００３７】
比較例として、中心部Ｏ及び垂直軸端部でのブリッジ幅を上述した実施例と同一とし、距離ｙの２乗に比例する関数で規定した場合には、ブリッジ幅Ｂは、図６の（ｂ）に示すような分布となる。このように、シャドウマスク主面において、衝撃などに対する管軸方向変位量が大きな垂直軸上中間部（図６におけるＨ軸からの距離ｙ＝１００ｍｍ付近）において、比較例（ｂ）のブリッジ幅が０．１５５ｍｍであるのに対して、実施例（ａ）のブリッジ幅を０．１７０ｍｍとすることができ、０．０１５ｍｍ拡大することができる。すなわち、シャドウマスク主面において、管軸方向変位量の大きな部分のブリッジ幅を拡大することができ、機械的強度を向上することが可能となる。
【００３８】
図８には、凸状の曲面を上に向けた状態で配置されたシャドウマスク主面に、管軸方向と平行に蛍光体スクリーン側から電子銃構体側に向けて衝撃を与えた場合のシャドウマスク主面における管軸方向変位量が示されている。なお、図８では、シャドウマスク主面の第１象限における変位量が示されている。また、ここで適用したシャドウマスク主面は、その垂直軸上中間部の曲率を大きくすることによって垂直軸上中間部の機械的強度を補強したものである。
【００３９】
図８に示した結果から、管軸方向と平行な衝撃に対しては、シャドウマスク主面２９１における対角軸Ｄの端部すなわちシャドウマスク主面２９１の対角部近傍で管軸方向の変位量が大きいことがわかる。
【００４０】
このため、この実施の形態では、シャドウマスク主面２９１の中心部から水平軸端部までの長さをｈとしたとき、中心部から（０．９×ｈ）だけ離れた水平軸上の位置を通過する垂直軸に平行な中間軸の電子ビーム通過孔列１８Ｘにおいて、水平軸からの距離をｙとし、ｂ０、ｂ１、ｂ２を係数とするとき、距離ｙでのブリッジ幅Ｂは、
Ｂ＝ｂ０＋ｂ１・ｙ２＋ｂ２・ｙ４  …（２）
で表され、しかも、係数ｂ２を負の値に設定している。
【００４１】
これにより、シャドウマスク主面２９１においては、中間軸Ｍ上の電子ビーム通過孔列でのブリッジ幅Ｂ（ｍｍ）は、水平軸Ｈからの距離ｙに対して図９の（ａ）に示すような分布となる。すなわち、ブリッジ幅Ｂを規定する水平軸Ｈからの距離ｙの関数（２）式の微分関数ｄＢ／ｄｙが水平軸Ｈからシャドウマスク主面の長辺端部までの間で極大値を持つような分布であるものとする。
【００４２】
つまり、シャドウマスク主面２９１におけるブリッジ幅Ｂは、水平軸Ｈから長辺端部に向かうにしたがって単調に増加する分布であって、衝撃などに対するシャドウマスク主面の管軸方向変位量が大きい中間軸Ｍ上の中間部でのブリッジ幅Ｂを大きくできる。したがって、シャドウマスク主面２９１の機械的強度を補強することができる。
【００４３】
なお、中間軸Ｍの中間部とは、水平軸Ｈから長辺端部までの長さをｖとしたとき、水平軸Ｈから（０．５×ｖ）だけ離れた中間軸Ｍ上の位置付近に対応する。また、この中間軸Ｍの中間部は、図８に示したシャドウマスク主面２９１の対角部近傍に相当し、管軸方向の変位量が大きい位置に対応する。
【００４４】
また、同時に、ブリッジ幅Ｂの分布は、単調増加するものの、長辺端部でのブリッジ幅の必要以上の拡大を抑えることができる。これにより、画面周辺部に向かう電子ビームがブリッジ１９に遮られる割合が低下し、蛍光体スクリーンに到達する電子ビーム量を増大することができ、輝度の低下を防止することができる。
【００４５】
以下に、上述した（２）式を満たす一実施例について説明する。すなわち、対角寸法が３６インチの有効部２０を有するカラー陰極線管用のシャドウマスク本体２９では、中間軸Ｍ上のブリッジ幅Ｂは、たとえば図７に示すように、シャドウマスク主面の水平軸上でのブリッジ幅：Ｂｈ＝０．１６０ｍｍ、中間軸中間部のブリッジ幅：Ｂｈｍ＝０．１８０ｍｍ、長辺端部のブリッジ幅：Ｂｄ＝０．２００ｍｍとしている。また、（２）式における係数ｂ０，ｂ１，ｂ２をそれぞれ、ｂ０＝１．６００×１０−１、ｂ１＝２．３３３×１０−６、ｂ２＝−３．３３３×１０−１１、のように設定している。
【００４６】
比較例として、中間軸Ｍ上における水平軸上及び長辺端部でのブリッジ幅を上述した実施例と同一とし、距離ｙの２乗に比例する関数で規定した場合には、ブリッジ幅Ｂは、図９の（ｂ）に示すような分布となる。このように、シャドウマスク主面において、衝撃などに対する管軸方向変位量が大きな垂直軸上中間部において、比較例（ｂ）のブリッジ幅が０．１７０ｍｍであるのに対して、実施例（ａ）のブリッジ幅を０．１８０ｍｍとすることができ、０．０１０ｍｍ拡大することができる。すなわち、シャドウマスク主面において、管軸方向変位量の大きな部分のブリッジ幅を拡大することができ、機械的強度を向上することが可能となる。
【００４７】
以上説明したように、これらの実施の形態に係る陰極線管によれば、スリット状の複数個の電子ビーム通過孔を備えたシャドウマスク主面を有するシャドウマスクユニットを搭載している。このシャドウマスク主面において、ブリッジの垂直軸に平行な幅を最適化することで、衝撃や落下などに対するシャドウマスク主面の機械的強度を向上することができる。しかも、垂直軸端部及び長辺端部を含むシャドウマスク主面の周辺部分など機械的強度に影響しない部分では、ブリッジ幅の拡大を極力抑えたことにより、蛍光体スクリーンの周辺部に到達する電子ビーム量を増大することができ、画面周辺部での輝度の低下を抑制することができる。
【００４８】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【００４９】
【発明の効果】
以上説明したように、この発明によれば、機械的強度を向上しつつ、輝度の低下を抑制することが可能な陰極線管を提供することができる。
【図面の簡単な説明】
【図１】図１は、この発明の一実施の形態に係るカラー陰極線管装置の構造を概略的に示す図である。
【図２】図２は、図１に示したカラー陰極線管装置における電子ビームの軌道を説明するための図である。
【図３】図３は、図１に示したカラー陰極線管装置に適用されるシャドウマスクユニットの構造を概略的に示す図である。
【図４】図４の（ａ）は、図３に示したシャドウマスク主面に形成された電子ビーム通過孔とブリッジとの位置関係を説明するための平面図であり、図４の（ｂ）は、図４の（ａ）に示した電子ビーム通過孔及びブリッジの断面図である。
【図５】図５は、シャドウマスク主面に管軸方向に平行な衝撃を与えた場合の管軸方向の変位量を示す図である。
【図６】図６は、シャドウマスク主面の中心部からの距離ｙに対するブリッジ幅の関係の一例を説明するための図である。
【図７】図７は、シャドウマスク主面における主要箇所を概略的に示す図である。
【図８】図８は、シャドウマスク主面に管軸方向に平行な衝撃を与えた場合の管軸方向の変位量を示す図である。
【図９】図９は、シャドウマスク主面の水平軸からの距離ｙに対するブリッジ幅の関係の一例を説明するための図である。
【符号の説明】
１０…外囲器、１８…電子ビーム通過孔、１８Ｘ…電子ビーム通過孔列、１９…ブリッジ、２０…有効部、２２…パネル、２７…蛍光体スクリーン、２８…シャドウマスクユニット、２９…シャドウマスク本体、２９１…シャドウマスク主面、３０…マスクフレーム、３５（Ｒ、Ｇ、Ｂ）…電子ビーム、３６…電子銃構体。
【図１】
2004207037.tif 000003
【図２】
2004207037.tif 000004
【図３】
2004207037.tif 000005
【図４】
2004207037.tif 000006
【図５】
2004207037.tif 000007
【図６】
2004207037.tif 000008
【図７】
2004207037.tif 000009
【図８】
2004207037.tif 000010
【図９】
2004207037.tif 000011